(57)【要約】【課題】  入賞装置に備えられた複数の扉を開閉するためのソレノイドの数を減少させることができるパチンコ機を実現する。【解決手段】  主開閉扉４３が開放し、補助扉４６、４７が閉鎖しているときに、受止め面４３ｅにより受け止められた遊技球が大入賞口４１に案内され、特定領域４１ｄを通過すると、作用部６５ａが遊技球Ｐに押し動かされ、回動軸６５ｂを中心に下方（時計方向）に回動し、回動部材６５が回動する。このとき、回動部６５ｃは上方に回動するため、突起部４６ｂが上方に押し上げられ、補助扉４６は回動軸４６ａを中心に前方に回動し、開放される。補助扉４７は、補助扉４６と連結部材６３で連結されているため、補助扉４６に連動して前方に倒れて開放する。回動部材６５が補助扉４６、４７を開放するため、補助扉４６、４７を開放するためのソレノイドが不要である。【選択図】  図７
2006034501.tif 000002
【特許請求の範囲】
【請求項１】
大当りの発生により開放され、その開放により大入賞口を開口する開閉扉を有する入賞装置を備えており、遊技盤を流下した遊技球が前記大入賞口に入賞した場合に所定数の賞球が払出されるパチンコ機において、
前記入賞装置には、
前記開閉扉の側方に隣接して開閉可能に設けられており、開放したときに前記遊技球を受け止めて前記大入賞口へ案内する補助扉と、
前記大入賞口に入賞した遊技球の作用により、前記補助扉を開放する開放手段とが備えられたことを特徴とするパチンコ機。
【請求項２】
前記補助扉は、
その閉鎖状態において下部に設けられた補助扉用の回動軸を備えており、前記補助扉用の回動軸を中心にして上部を前方へ回動させることにより開放され、
前記開放手段は、
開放手段用の回動軸と、
この開放手段用の回動軸に回動可能に取付けられており、前記大入賞口へ入賞した遊技球の作用により回動する作用部と、
前記開放手段用の回動軸に回動可能に取付けられており、前記作用部の回動に連動して回動するとともに、前記補助扉のうち、前記補助扉用の回動軸の近傍に作用することにより前記補助扉を回動させて開放させる回動部とを備えたことを特徴とする請求項１に記載のパチンコ機。
【請求項３】
前記回動部は、前記補助扉を開放させるときに回動を開始した位置へ復帰するように自重により付勢されており、
前記遊技球の作用により前記作用部が回動を開始した位置には、前記回動部が前記回動を開始した位置へ復帰するときに、前記作用部が前記回動を開始した位置から逆方向へ回動しないように規制する規制部材が備えられたことを特徴とする請求項２に記載のパチンコ機。
【請求項４】
前記補助扉が閉鎖された状態において、前記補助扉のうち、前記補助扉用の回動軸よりも上方の部位には、前記開閉扉に向けて突出した突出部が備えられており、
前記開閉扉には、閉鎖するときに、開放状態の前記補助扉の前記突出部を当接して押し上げるための当接部が備えられており、
前記開閉扉が閉鎖する方向へ回動すると、前記当接部が前記突出部を押し上げることにより、前記補助扉は前記開閉扉の回動に連動して回動され、閉鎖することを特徴とする請求項２または請求項３に記載のパチンコ機。
【請求項５】
前記補助扉は前記開閉扉の両側にそれぞれ設けられており、
前記開放手段は、少なくとも一方の補助扉を開放するように作用し、
各補助扉が閉鎖された状態において、各補助扉のうち、前記補助扉用の回動軸よりも上方の部位間は、連結部材により連結されており、
前記開閉扉が閉鎖された状態において、前記開閉扉のうち、前記開閉扉用の回動軸よりも上方の部位には、開放状態から閉鎖するときに、開放状態にある前記各補助扉間を連結している前記連結部材を当接して押し上げるための当接部が備えられており、
前記一方の補助扉の開放に連動して他方の補助扉が開放され、前記開閉扉が閉鎖する方向へ回動すると、前記当接部が前記連結部材を押し上げることにより、前記各補助扉は前記開閉扉の回動に連動してそれぞれ回動され、それぞれ閉鎖することを特徴とする請求項２または請求項３に記載のパチンコ機。
【請求項６】
前記開閉扉が閉鎖された状態において、前記開閉扉のうち、前記開閉扉用の回動軸よりも上方の部位には、前記補助扉に向けて突出した突出部が備えられており、
閉鎖状態にある前記補助扉の遊技者側の部分を前部とした場合に、前記開閉扉が閉鎖する方向へ回動すると、前記突出部が開放状態にある前記補助扉の前部を押し上げ、前記補助扉は前記開閉扉の回動に連動して回動され、閉鎖することを特徴とする請求項２または請求項３に記載のパチンコ機。
【請求項７】
開放状態になったときの前記開閉扉および前記補助扉の各上面には、前記遊技盤を流下する遊技球を受け止める受止め面がそれぞれ形成されており、
前記開閉扉および前記補助扉がそれぞれ開放されたときに前記各受止め面が一体的になることを特徴とする請求項１ないし請求項６のいずれか１つに記載のパチンコ機。
【発明の詳細な説明】
【技術分野】
【０００１】
この発明は、大当りの発生により大入賞口を開口する入賞装置を備えたパチンコ機に関する。
【背景技術】
【０００２】
従来、この種のパチンコ機として、例えば、横方向に配置された複数の扉と、各扉をそれぞれ個別に開閉するための複数のソレノイドとを有する入賞装置を備えたものが知られている（特許文献１）。このパチンコ機は、大当りが発生したときに複数のソレノイドを駆動して複数の扉を開放し、複数の大入賞口を開口する。
【０００３】
【特許文献１】特開平０７−１９４７８９号公報（第７頁、図３（Ａ）、図４）
【発明の開示】
【発明が解決しようとする課題】
【０００４】
しかし、上記従来のパチンコ機は、複数のソレノイドを取付けるために大きな取付けスペースが必要であるため、他の装置を取付けるための取付けスペースが制約を受けるという問題がある。また、各ソレノイドおよび駆動回路間の配線が多いため、入賞装置を遊技盤に取付けるための作業時間が長くなるという問題もある。さらに、複数のソレノイドを駆動するため、１個のソレノイドを駆動するパチンコ機と比較して、ソレノイドおよびそれを駆動する駆動回路の故障率が高いという問題もある。さらに、複数のソレノイドを駆動するため、ソレノイドの駆動による消費電力が１個のソレノイドを駆動する場合よりも大きいという問題もある。
つまり、上記従来のパチンコ機は、複数のソレノイドを必要とすることに起因する諸問題が存在する。
【０００５】
そこで、この発明は、上記諸問題を解決するためになされたものであり、入賞装置に備えられた複数の扉を開閉するためのソレノイドの数を減少させることができるパチンコ機を実現することを目的とする。
【課題を解決するための手段】
【０００６】
上記目的を達成するために、請求項１に記載の発明では、大当りの発生により開放され、その開放により大入賞口（４１）を開口する開閉扉（４３）を有する入賞装置（４０）を備えており、遊技盤を流下した遊技球が前記大入賞口（４１）に入賞した場合に所定数の賞球が払出されるパチンコ機（１）において、前記入賞装置（４０）には、前記開閉扉（４３）の側方に隣接して開閉可能に設けられており、開放したときに前記遊技球を受け止めて前記大入賞口（４１）へ案内する補助扉（４６、４７）と、前記大入賞口（４１）に入賞した遊技球の作用により、前記補助扉（４６、４７）を開放する開放手段（６５）とが備えられた、という技術的手段を採用する。
【０００７】
請求項２に記載の発明では、請求項１に記載のパチンコ機（１）において、前記補助扉（４６、４７）は、その閉鎖状態において下部に設けられた補助扉用の回動軸（４６ａ、４７ａ）を備えており、前記補助扉用の回動軸（４６ａ、４７ａ）を中心にして上部を前方へ回動させることにより開放され、前記開放手段（６５）は、開放手段用の回動軸（６５ｂ）と、この開放手段用の回動軸（６５ｂ）に回動可能に取付けられており、前記大入賞口（４１）へ入賞した遊技球の作用により回動する作用部（６５ａ）と、前記開放手段用の回動軸（６５ｂ）に回動可能に取付けられており、前記作用部（６５ａ）の回動に連動して回動するとともに、前記補助扉（４６、４７）のうち、前記補助扉用の回動軸（４６ａ、４７ａ）の近傍に作用することにより前記補助扉（４６、４７）を回動させて開放させる回動部（６５ｃ）とを備えた、という技術的手段を採用する。
【０００８】
請求項３に記載の発明では、請求項２に記載のパチンコ機（１）において、前記回動部（６５ｃ）は、前記補助扉（４６、４７）を開放させるときに回動を開始した位置へ復帰するように自重により付勢されており、前記遊技球の作用により前記作用部（６５ａ）が回動を開始した位置には、前記回動部（６５ｃ）が前記回動を開始した位置へ復帰するときに、前記作用部（６５ａ）が前記回動を開始した位置から逆方向へ回動しないように規制する規制部材（６４）が備えられた、という技術的手段を採用する。
【０００９】
請求項４に記載の発明では、請求項２または請求項３に記載のパチンコ機（１）において、前記補助扉（４６、４７）が閉鎖された状態において、前記補助扉（４６、４７）のうち、前記補助扉用の回動軸（４６ａ、４７ａ）よりも上方の部位には、前記開閉扉（４３）に向けて突出した突出部（４７ｃ）が備えられており、前記開閉扉（４３）には、閉鎖するときに、開放状態の前記補助扉（４６、４７）の前記突出部（４７ｃ）を当接して押し上げるための当接部（４３ｆ）が備えられており、前記開閉扉（４３）が閉鎖する方向へ回動すると、前記当接部（４３ｆ）が前記突出部（４７ｃ）を押し上げることにより、前記補助扉（４６、４７）は前記開閉扉（４３）の回動に連動して回動され、閉鎖する、という技術的手段を採用する。
【００１０】
請求項５に記載の発明では、請求項２または請求項３に記載のパチンコ機（１）において、前記補助扉（４６、４７）は前記開閉扉（４３）の両側にそれぞれ設けられており、前記開放手段（６５）は、少なくとも一方の補助扉（４６、４７）を開放するように作用し、各補助扉（４６、４７）が閉鎖された状態において、各補助扉（４６、４７）のうち、前記補助扉用の回動軸（４６ａ、４７ａ）よりも上方の部位間は、連結部材（６３）により連結されており、前記開閉扉（４３）が閉鎖された状態において、前記開閉扉（４３）のうち、前記開閉扉用の回動軸（４３ａ）よりも上方の部位には、開放状態から閉鎖するときに、開放状態にある前記各補助扉（４６、４７）間を連結している前記連結部材（６３）を当接して押し上げるための当接部（４３ｂ）が備えられており、前記一方の補助扉（４６）の開放に連動して他方の補助扉（４７）が開放され、前記開閉扉（４３）が閉鎖する方向へ回動すると、前記当接部が前記連結部材（６３）を押し上げることにより、前記各補助扉（４６、４７）は前記開閉扉（４３）の回動に連動してそれぞれ回動され、それぞれ閉鎖する、という技術的手段を採用する。
【００１１】
請求項６に記載の発明では、請求項２または請求項３に記載のパチンコ機（１）において、前記開閉扉（４３）が閉鎖された状態において、前記開閉扉（４３）のうち、前記開閉扉用の回動軸（４３ａ）よりも上方の部位には、前記補助扉（４６、４７）に向けて突出した突出部（４３ｇ）が備えられており、閉鎖状態にある前記補助扉（４６、４７）の遊技者側の部分を前部とした場合に、前記開閉扉（４３）が閉鎖する方向へ回動すると、前記突出部（４３ｇ）が開放状態にある前記補助扉（４６、４７）の前部を押し上げ、前記補助扉（４６、４７）は前記開閉扉（４３）の回動に連動して回動され、閉鎖する、という技術的手段を採用する。
【００１２】
請求項７に記載の発明では、請求項１ないし請求項６のいずれか１つに記載のパチンコ機（１）において、開放状態になったときの前記開閉扉（４３）および前記補助扉（４６、４７）の各上面には、前記遊技盤を流下する遊技球を受け止める受止め面（４３ｅ、４６ｃ、４７ｂ）がそれぞれ形成されており、前記開閉扉（４３）および前記補助扉（４６、４７）がそれぞれ開放されたときに前記各受止め面が一体的になる、という技術的手段を採用する。
なお、上記括弧内の符号は、後述の実施形態において使用する符号に対応するものである。
【発明の効果】
【００１３】
（請求項１に記載の発明の効果）
開放手段は、大入賞口に入賞した遊技球の作用により補助扉を開放するため、補助扉を開放するためのソレノイドが不要である。従って、扉を開閉させるためのソレノイドの数を減少させることができる。
また、開閉扉と隣接した補助扉が開放したときに、補助扉が遊技盤を流下する遊技球を受け止めて、大入賞口に案内するため、遊技球が大入賞口に入賞しやすくなる。
【００１４】
（請求項２に記載の発明の効果）
大入賞口に入賞した遊技球の作用により回動する作用部と、この作動部の回動に連動して回動する回動部とが回動軸に回動可能に取り付けてあるという簡易な機構により、補助扉を開放させることができる。従って、補助扉を開放するために必要な機構としての故障が起きにくい。
【００１５】
（請求項３に記載の発明の効果）
回動部は、回動を開始した位置へ自重で復帰し、また、回動を開始した位置から逆方向へ回動しないように規制部材で規制されているため、回動部を回動を開始した位置へ復帰させるための専用の機械要素が不要である。
【００１６】
（請求項４に記載の発明の効果）
開閉扉が閉鎖する方向へ回動すると、開閉扉に備えられた当接部が補助扉に備えられた突出部を押し上げることにより、補助扉を開閉扉の回動に連動して回動させて、閉鎖することができるため、補助扉を閉鎖するためのソレノイドが不要である。従って、ソレノイドの数を減少させることができるパチンコ機を実現できる。
【００１７】
（請求項５に記載の発明の効果）
開閉扉の両側に設けられた補助扉のうち、一方の補助扉の開放に連動して他方の補助扉を開放することができ、開閉扉の閉鎖に連動して各補助扉も閉鎖することができるため、各補助扉を開閉するためのソレノイドが不要である。
従って、ソレノイドの数を減少させることができるパチンコ機を実現することができる。
また、開閉扉の両側に補助扉が設けられているため、遊技盤を流下する遊技球を受け止めて、大入賞口に案内する面の面積がより一層増大するので、遊技球が大入賞口により一層入賞しやすくなる。
【００１８】
（請求項６に記載の発明の効果）
開閉扉が閉鎖する方向へ回動すると、開閉扉に備えられた突出部が補助扉の前部を押し上げることにより、補助扉は開閉扉の回動に連動して回動され、閉鎖されるため、補助扉を閉鎖するためのソレノイドなどの機械要素が不要である。
従って、ソレノイドの数を減少させることができるパチンコ機を実現することができる。
【００１９】
（請求項７に記載の発明の効果）
開放状態になったときの開閉扉および補助扉の各上面には、遊技盤を流下する遊技球を受け止める受止め面がそれぞれ形成されており、開閉扉および補助扉がそれぞれ開放されたときに各受止め面が一体的になるため、遊技球が受止め面から転落しにくくなり、大入賞口に効率的に入賞させることができる。
また、各受止め面が一体的になるため、大入賞口の受止め面が大きくなったように見えるので、遊技の興趣を増大させることができる。
【発明を実施するための最良の形態】
【００２０】
［全体の主要構成］
まず、この実施形態のパチンコ機の主要構成について図１を参照して説明する。図１は、そのパチンコ機の外観の斜視説明図である。
パチンコ機１には、外殻を構成する外枠２が設けられており、その外枠２にはガラス枠３が開閉可能に取付けられている。ガラス枠３の内側には遊技盤５が設けられており、外枠２の前面右下方には、遊技盤５へ遊技球を発射する発射装置を操作する発射レバー１５ａが回動可能に取付けられている。ガラス枠３の左下方には、賞球や貸球が供給される賞球・貸球供給口６ａが形成されており、その賞球・貸球供給口６ａの供給側には、その賞球・貸球供給口６ａから供給された賞球や貸球を収容する上皿６が設けられている。上皿６の前面には、遊技球の貸出しを行う場合に押す貸出ボタン８１と、図示しないカード挿入口に挿入されているプリペイドカードを返却するために押す返却ボタン８２とが備えられているボタンユニット８０が取付けられている。ボタンユニット８０の下方には、プリペイドカードの残高などを表示する残高表示器９が取付けられている。上皿６の下方には、上皿６の収容可能数を超えて流下した賞球や上皿球抜きレバー６ｂの操作により上皿６から排出された遊技球などを排出する排出口７ａが形成されている。排出口７ａの排出側には、その排出口７ａから排出された遊技球を収容する下受け皿７が設けられている。
【００２１】
［遊技盤５の主要構成および主な遊技］
次に、遊技盤５の主要構成について図２を参照して説明する。図２は、遊技盤５の主要構成を示す正面説明図である。
遊技盤５の略中央には、立体的な構造物であるセンターケース３０が備えられている。センターケース３０には、複数の特別図柄（たとえば、０〜９の数字を表現した図柄）および複数の普通図柄（例えば、○、×）を表示する特別図柄表示装置３２が設けられている。特別図柄表示装置３２は、複数の特別図柄を所定の順序で画面上に表示する（以下、その表示を特別図柄の変動表示という）。変動表示の手法は複数あり、たとえば複数の特別図柄を縦方向に配列した図柄列を画面の横方向３個所の表示領域においてそれぞれ上から下に向けて移動させる手法がある。
センターケース３０の下方には、第１種始動口２７が内部に設けられた普通電動役物２８が設けられている。遊技球が第１種始動口２７に入賞すると、特別図柄表示装置３２が特別図柄の変動表示を開始する。また、遊技球が第１種始動口２７に入賞すると、所定個数（たとえば、４個）の賞球が払出される。なお、特別図柄の変動表示中に遊技球が第１種始動口２７に入賞した場合は、その入賞による特別図柄の変動表示が保留され、その保留された変動表示は、現在行われている変動表示終了後に行われる。保留されている数（以下、特別図柄始動記憶数という）は、特別図柄表示装置３２の上部に設けられた特別図柄始動記憶数表示装置３４のＬＥＤの点灯数により表示される。
【００２２】
特別図柄の変動表示開始から所定時間経過すると、各図柄列を所定の順序で停止させ、各表示領域に停止図柄を表示する。そして、各停止図柄が大当り図柄（たとえば、７７７などの同一数字からなるもの）の場合に大当りが発生する。大当りが発生すると、普通電動役物２８の下方に設けられた変動入賞装置４０が作動し、主開閉扉４３が開放し、大入賞口４１（図３（Ｂ））が開口する。そして、大入賞口４１に遊技球が入賞すると、所定個数（たとえば１５個）の賞球が払出される。大入賞口４１が開口してから所定時間（たとえば約３０秒）経過したか、あるいは大入賞口４１への入賞数が所定数（たとえば１０個）に達したかのいずれかの条件が満足されると主開閉扉４３が閉鎖し、大入賞口４１が閉口する。大入賞口４１の開口から閉口までを１ラウンドといい、ラウンド中に、大入賞口４１の内部に設けられた特定領域４１ｄ（図８）に遊技球が入賞したことを条件として次のラウンドに進むことができ、複数のラウンド（たとえば１６ラウンド）を実行することができる。以下、第１ラウンドから所定のラウンドまでの遊技を大当り遊技という。
主開閉扉４３の左右に隣接して、補助扉４６、４７が設けられている。補助扉４６、４７は、大入賞口４１に入賞した遊技球が、大入賞口４１の内部に設けられた所定の区画を通過したときに開放し、大入賞口４１に遊技球を案内する。補助扉４６、４７は主開閉扉４３の閉鎖に伴って、同時に閉鎖する。
【００２３】
遊技球が遊技盤５に設けられた右ゲート２５または左ゲート２６を通過すると特別図柄表示装置３２により普通図柄の変動表示が開始され、当りの普通図柄で停止すると、普通電動役物２８の両翼が開放し、第１種始動口２７への入賞が容易となる。普通図柄の変動表示中に遊技球が右ゲート２５または左ゲート２６を通過した場合は、その通過による普通図柄の変動表示が保留され、その保留された変動表示は、現在行われている変動表示終了後に行われる。保留されている数（以下、普通図柄始動記憶数という）は、特別図柄始動記憶数表示装置３４の左側に設けられた普通図柄始動記憶数表示装置３５のＬＥＤの点灯数により表示される。
【００２４】
また、遊技盤５には、右入賞口２２、左入賞口２３、右下入賞口１４および左下入賞口４４（以下、これらの入賞口を一般入賞口という）が設けられている。一般入賞口に入賞すると所定個数（たとえば、７個）の賞球が払出される。
その他遊技盤５には、風車２４、発射された遊技球を遊技領域へ案内する案内レール１６、遊技盤５の上方角部を装飾するコーナー飾り１１、側部を装飾するサイド飾り２０、どこにも入賞しなかった遊技球をアウト球として回収するアウト口４５などが設けられている。遊技盤５の盤面には、多くの遊技釘２１が打ち込まれており、発射された遊技球は遊技釘に衝突することによって流下方向が変化し、入賞口に入賞したり、右ゲート２５または左ゲート２６を通過したりする。
【００２５】
［変動入賞装置４０の構造］
次に、変動入賞装置４０の構造について図３ないし図８を参照して説明する。図３（Ａ）は変動入賞装置４０の斜視説明図である。図３（Ｂ）は主開閉扉４３が開放した変動入賞装置４０の斜視説明図である。図３（Ｃ）は主開閉扉４３および補助扉４６、４７が開放した変動入賞装置４０の斜視説明図である。図４（Ａ）は、開放している主開閉扉４３とソレノイドの接続関係を示す斜視説明図である。図４（Ｂ）は、開放している主開閉扉４３の右端部近傍の縦断面を右方から見た説明図である。図５（Ａ）は、閉鎖している主開閉扉４３とソレノイドの接続関係を示す斜視説明図である。図５（Ｂ）は、閉鎖している主開閉扉４３の右端部近傍の縦断面を右方から見た説明図である。図６（Ａ）は、閉鎖している状態の補助扉４６、４７の斜視説明図である。図６（Ｂ）は、閉鎖している状態の補助扉４６近傍の縦断面を右方から見た説明図である。図７（Ａ）は、開放する途中の補助扉４６、４７の斜視説明図である。図７（Ｂ）は、開放する途中の補助扉４６近傍の縦断面を右方から見た説明図である。図７（Ｃ）は、開放した補助扉４６近傍の縦断面を右方から見た説明図である。
図８は、主開閉扉４３および補助扉４６、４７が開放した変動入賞装置４０の一部横断面を上方から見た説明図である。
なお、以下の説明において、パチンコ機に向かって遊技者側を前方とし、その反対側を後方とする。また、パチンコ機に向かって遊技者からみた方向で上下左右を示す。
【００２６】
図３（Ａ）に示すように、変動入賞装置４０には、パネル４０ａに主開閉扉４３が開閉可能に設けられている。主開閉扉４３は、前方に開放したときに遊技球を受け止め、その遊技球を大入賞口４１へ案内する。また、主開閉扉４３の左右の側方に隣接する部位には、開放したときに前倒して遊技球を受け止めて大入賞口４１へ案内する補助扉４６、４７が開閉可能に設けられている。
主開閉扉４３は、その閉鎖状態において、下部に回動軸４３ａ、４３ａ（図４（Ａ））を備えており、回動軸４３ａ、４３ａを中心にして上部を前方へ回動させることにより開放される。
この実施形態では、回動軸４３ａ、４３ａは、主開閉扉４３の左右の側面の下部から、それぞれ外側に向けて突出して設けられている。回動軸４３ａ、４３ａは、左側の補助扉４６の右側面下部に設けられた軸受４６ｅ（図６（Ａ））と右側の補助扉４７の左側面下部に設けられた図示しない軸受に回動可能に取付けられている。
【００２７】
また、補助扉４６、４７は、その閉鎖状態において、下部に回動軸４６ａ、４７ａ（図６（Ａ））をそれぞれ備えており、回動軸４６ａ、４７ａを中心にして上部を前方に回動させることにより、それぞれ開放される。
この実施形態では、回動軸４６ａは、左側の補助扉４６の左側面下部から左方に向けて突出しており、回動軸４７ａは、右側の補助扉４７の右側面下部から右方に向けて突出している。回動軸４６ａ、４７ａは、回動軸４３ａ、４３ａと同軸上に、それぞれ変動入賞装置４０の内部に設けられた図示しない軸受に回動可能に取付けられている。閉鎖状態にある各補助扉４６、４７の裏面には、開放されたときに遊技球を受け止めるための受止め面４６ｃ、４７ｂ（図７（Ａ））がそれぞれ形成されている。
【００２８】
補助扉４６、４７の各回動軸４６ａ、４７ａよりも上方の部位間は、連結部材６３により連結されており、補助扉４７は補助扉４６に連動して開閉するようになっている。この実施形態では、補助扉４６の右側面の上部と、補助扉４７の左側面の上部との間が、連結部材６３により連結されている。また、この実施形態では、補助扉４６，４７は、それぞれ板状に形成されており、連結部材６３は棒状に形成されている。  
【００２９】
図４および図５に示すように、主開閉扉４３は、横長の板状に形成されている。図４（Ａ）に示すように、主開閉扉４３の後面には、開放したときに流下してくる遊技球を受け止めるための受止め面４３ｅが形成されている。主開閉扉４３の上端の中央部には、連結部材６３と係合可能な当接部材４３ｂが取付けられており、その後面の長手方向には、連結部材６３と係合可能な凹部４３ｉが形成されている。当接部材４３ｂの後面は、連結部材６３と係合可能であれば、必ずしも凹形状である必要はないが、この実施形態では、棒状の連結部材６３の外周面の形状に合致するように、縦断面が円弧の凹形状に形成されている。
【００３０】
主開閉扉４３の前面の中央下部には、主開閉扉４３を前方へ回動する方向に付勢するための錘４３ｃが取付けられている。また、図４（Ｂ）に示すように、主開閉扉４３が開放され、受止め面４３ｅが後方へ傾斜した状態になったときに、錘４３ｃの下面がパネル４０ａの前面に当接するようになっている。つまり、錘４３ｃは、主開閉扉４３の開放角度を規制する役割も果たしている。
図５に示すように、主開閉扉４３が閉鎖された状態において、主開閉扉４３の下面の右端近傍からは、下方に向けて回転補助部４３ｄが突出して設けられている。図５（Ａ）に示すように、回転補助部４３ｄの右側面の下端からは、右方向に向けて当接部４３ｆが突出して設けられている。
【００３１】
主開閉扉４３の右後方には、主開閉扉４３を開閉するための大入賞口ソレノイド４９が設けられている。大入賞口ソレノイド４９のプランジャ４９ｂの先端には、プランジャ４９ｂの進退に伴って進退する可動部４９ａが取付けられている。可動部４９ａには、上記当接部４３ｆを押圧するための押圧部材４８が取付けられている。この実施形態では、図５（Ｂ）に示すように、大入賞口ソレノイド４９が非通電状態でプランジャ４９ｂが進出した状態において、押圧部材４８は、略「へ」の字形状を呈している。押圧部材４８は、当接部４３ｆと当接するアーム部４８ｅと、可動部４９ａと連結されたアーム部４８ｄと、アーム部４８ｄ、４８ｅ間に形成された屈曲部４８ｆとを備える。アーム部４８ｅの先端の下面には、当接部４３ｆの外周面と当接する傾斜面４８ｃが形成されている。図５（Ｂ）に示すように、傾斜面４８ｃは、当接部４３ｆを押圧している状態において、前方から後方にかけて下り勾配になっている。
図４（Ａ）に示すように、アーム部４８ｄの左側面の下部からは、左方に向けて固定軸４８ｂが突出している。固定軸４８ｂは、図示しない軸受に回動可能に取付けられている。
可動部４９ａの左側面の中央からは、左方に向けて可動軸４８ａが突出している。アーム部４８ｄの右側面であって、固定軸４８ｂの回動中心より上方には、上下方向に長い長孔４８ｇが左右方向に貫通形成されている。その長孔４８ｇには、可動部４９ａの可動軸４８ａが挿通されており、可動軸４８ａは、長孔４８ｇ内を移動可能になっている。つまり、可動部４９ａの進退に伴って可動軸４８ａが進退すると、押圧部材４８は、固定軸４８ｂを中心にして前後に回動する。
【００３２】
図５に示すように、大入賞口ソレノイド４９が非通電の状態では、プランジャ４９ｂが進出し、押圧部材４８が前方（図５（Ｂ）において左方向）に回動した状態である。また、押圧部材４８のアーム部４８ｅの傾斜面４８ｃが、閉鎖状態の主開閉扉４３の当接部材４３ｆの上面を下方に押圧しており、主開閉扉４３の前方への回動が阻止されている。
また、大当り遊技においてラウンドが開始されると、大入賞口ソレノイド４９が通電され、プランジャ４９ｂが退避するため、押圧部材４８が後方（図５（Ｂ）において右方向）に回動する。このとき、押圧部材４８のアーム部４８ｅによる当接部材４３ｆの押圧状態が解除されるため、主開閉扉４３は、錘４３ｃの自重によって回動軸４３ａを中心にして上部を前方へ回動し、大入賞口４１を開口する。
【００３３】
図８に示すように、主開閉扉４３の後方には、パチンコ機内に大入賞口４１を区画するための大入賞口壁４１ｅ、４１ｇがそれぞれ立設されている。大入賞口４１の内部には、左端に区画された特定領域４１ｄと、特定領域４１ｄに隣接した一般領域４１ｃとが設けられている。主開閉扉４３が開放することにより、受止め面４３ｅにより大入賞口４１へ案内された遊技球は、一般領域４１ｃ、または、特定領域４１ｄのいずれかを通過する。遊技球が特定領域４１ｄを通過すると大当り遊技が継続される。
【００３４】
図３（Ｃ）および図８に示すように、補助扉４６、４７の後方には、受止め面４６ｃ、４７ｂに流下してきた遊技球を大入賞口４１に案内する案内壁３６、３７がそれぞれ備えられている。
案内壁３６は、回動軸４６ａの後方の左端部３６ａから大入賞口壁４１ｅ前方の端部４１ｆへ向かって形成されている。左端部３６ａは端部４１ｆより前方に設けられており、案内壁３６は端部４１ｆへ近づく程、その面が後方になるように形成されている。同様に、案内壁３７は、回動軸４７ａの後方の左端部３７ａから大入賞口壁４１ｇ前方の端部４１ｈへ向かって形成されている。左端部３７ａは端部４１ｈより前方に設けられており、案内壁３７は端部４１ｈへ近づく程、その面が後方になるように形成されている。
【００３５】
図６に示すように、閉鎖状態の補助扉４６の下端部近傍には、後方へ突出した突起部４６ｂが設けられており、その突起部４６ｂの下方には、回動部材６５が設けられている。回動部材６５は、作用部６５ａ、回動軸６５ｂおよび回動部６５ｃから構成される。回動部６５ｃの上部は、突起部４６ｂの下部と対向しており、作用部６５ａの少なくとも一部は、特定領域４１ｄの下部に露出している（図８）。回動軸６５ｂは、回動部６５ｃと作用部６５ａとの境界付近の側面から左方へ突出しており、図示しない軸受によって回動可能に取付けられている。
この実施形態では、突起部４６ｂは、補助扉４６の下端部近傍の裏面から後方斜め下方に向けて突出したつば状に形成されているが、例えば棒状などの形状でもよく、突出する方向も水平でもよい。また、作用部６５ａおよび回動部６５ｃの形状は、それぞれ板状に形成されているが、例えば直方体などの形状でもよい。さらに、この実施形態では、回動軸６５ｂは、回動部６５ｃの後部の左側面から左方へ突出しているが、作用部６５ａの左側面から左方へ突出したものでもよい。また、回動部材６５の左側面の所定個所から右方に向けて軸孔を形成し、図示しない個所から右方へ突出した軸部材を上記軸孔に挿入することにより、回動部材６５を回動可能にしてもよい。
【００３６】
回動部６５ｃおよび作用部６５ａは、回動軸６５ｂを中心とした回転モーメントが、回動部６５ｃの方が作用部６５ａよりも大きくなるように形成されている。この実施形態では、回動部６５ｃを作用部６５ａよりも厚く形成することにより、回動部６５ｃの自重が作用部６５ａのそれよりも重くなっている。
作用部６５ａの上部と対向する個所には、位置規制部材６４が設けられている。この位置規制部材６４は、回動部６５ｃの自重により前方（図６（Ｂ）において左方向）へ回動しようとする回動部材６５の回転を阻止し、回動部材６５を回動前の位置（図６に示す位置）へ復帰させる役割をする。この実施形態では、位置規制部材６４は、変動入賞装置４０の図示しない部位から右方へ突出した棒状に形成されているが、例えば板状などでもよい。
また、作用部６５ａの少なくとも一部を特定領域４１ｄの下部を通って一般領域４１ｃの下部まで延長してもよい。さらに、特定領域４１ｄおよび一般領域４１ｃを入れ替え、作用部６５ａの少なくとも一部を一般領域４１ｃの下部にのみ露出させてもよい。
【００３７】
図３（Ｂ）に示すように、主開閉扉４３が開放し、補助扉４６、４７が閉鎖しているときに、受止め面４３ｅにより受け止められた遊技球が大入賞口４１に案内され、特定領域４１ｄを通過すると、図７（Ａ）および図７（Ｂ）に示すように、作用部６５ａが遊技球Ｐに押し動かされ、回動軸６５ｂを中心に下方（時計方向）に回動し、回動部材６５が回動する。このとき、回動部６５ｃは上方に回動するため、突起部４６ｂが上方に押し上げられ、補助扉４６は回動軸４６ａを中心に前方に回動し、開放される。補助扉４７は、補助扉４６と連結部材６３で連結されているため、補助扉４６に連動して前方に倒れて開放する。
遊技球Ｐが作用部６５ａから離脱して流下したあとは、図７（Ｃ）に示すように、回動部材６５は、回動部６５ｃの自重により反時計方向に回動し、作用部６５ａの上面が位置規制部材６４に当接され、回動を開始した位置へ復帰する。
【００３８】
図３（Ｃ）に示すように、補助扉４６、４７が開放されると、補助扉４６、４７の各上面に受止め面４６ｃ、４７ｂがそれぞれ表出する。補助扉４６、４７は、連結部材６３が当接部材４３ｂの凹部４３ｉに係合するまで開放される。このとき、受止め面４３ｅ、４６ｃ、４７ｂは一体的になり、主開閉扉４３の受止め面４３ｅが、あたかも左右に拡大されたように見える。そして、受止め面４３ｅに流下してきた遊技球だけでなく、各補助扉４６、４７の受止め面４６ｃ、４７ｂに流下してきた遊技球も、案内壁３６、３７により大入賞口４１に案内されるため、遊技球は大入賞口４１に入賞しやすくなる。
【００３９】
大当り遊技におけるラウンドが終了し、大入賞口ソレノイド４９に通電しない状態になると、プランジャ４９ｂが伸張するため、可動部４９ａが前方に移動される。押圧部材４８は固定軸４８ｂを軸に回転補助部４３ｄの当接部４３ｆを押圧しながら前方に回動し、主開閉扉４３は閉鎖する方向へ回動する（図５）。
主開閉扉４３が閉鎖する方向へ回動すると、当接部材４３ｂが連結部材６３を押し上げることにより、補助扉４６、４７は主開閉扉４３の回動に連動してそれぞれ回動され、主開閉扉４３および補助扉４６、４７は、同時に閉鎖する。大入賞口ソレノイド４９が非通電状態では、主開閉扉４３は閉口状態に維持されるため、補助扉４６、４７も閉口状態で維持される。
【００４０】
以上のように、大当り遊技のラウンド開始時には主開閉扉４３のみが開放し、大入賞口４１に入賞した遊技球Ｐが特定領域４１ｄを通過すると左右の補助扉４６，４７が同時に開放し、ラウンドの終了時には、主開閉扉４３および補助扉４６，４７が同時に閉鎖される。
【００４１】
［発明を実施するための最良の形態による効果］
（１）以上のように、上記最良の形態のパチンコ機１を使用すれば、回動部材６５が、大入賞口４１に入賞した遊技球の作用により補助扉４６、４７を開放するため、補助扉４６、４７を開放するためのソレノイドが不要である。従って、扉を開閉させるためのソレノイドの数を減少させることができる。
また、主開閉扉４３と隣接した補助扉４６、４７が開放したときに、補助扉４６、４７が遊技盤５を流下する遊技球を受け止めて、大入賞口４１に案内するため、遊技球が大入賞口４１に入賞しやすくなる。
【００４２】
（２）大入賞口４１に入賞した遊技球の作用により回動する作用部６５ａと、この作用部６５ａの回動に連動して回動する回動部６５ｃとが回動軸に回動可能に取り付けてあるという簡易な機構により、補助扉４６、４７を開放させることができる。従って、補助扉４６、４７を開放するために必要な機構としての故障が起きにくい。
【００４３】
（３）回動部６５ｃは、回動を開始した位置へ自重で復帰し、また、回動を開始した位置から逆方向へ回動しないように位置規制部材６４で規制されているため、回動部６５ｃを回動を開始した位置へ復帰させるための専用の機械要素が不要である。
【００４４】
（４）主開閉扉４３の両側に設けられた補助扉４６、４７のうち、一方の補助扉４６の開放に連動して他方の補助扉４７を開放することができ、主開閉扉４３の閉鎖に連動して各補助扉４６、４７も閉鎖することができるため、各補助扉４６、４７を開閉するためのソレノイドが不要である。
従って、ソレノイドの数を減少させることができるパチンコ機を実現することができる。
また、主開閉扉４３の両側に補助扉４６、４７が設けられているため、遊技盤５を流下する遊技球を受け止めて、大入賞口４１に案内する面の面積がより一層増大するので、遊技球が大入賞口４１により一層入賞しやすくなる。
【００４５】
（５）開放状態になったときの主開閉扉４３および補助扉４６、４７の各上面には、遊技盤５を流下する遊技球を受け止める受止め面４３ｅ、４６ｃ、４７ｂがそれぞれ形成されており、主開閉扉４３および補助扉４６、４７がそれぞれ開放されたときに各受止め面４３ｅ、４６ｃ、４７ｂが一体的になるため、遊技球が受止め面４３ｅ、４６ｃ、４７ｂから転落しにくくなり、大入賞口４１に効率的に入賞させることができる。
また、受止め面４３ｅ、４６ｃ、４７ｂが一体的になるため、大入賞口４１の受止め面が大きくなったように見え、遊技の興趣が増大する。
【００４６】
（その他の実施形態）
（１）図９（Ａ）は、補助扉４７に設けられた突出部および主開閉扉４３に設けられた当接部の部分説明図である。
補助扉４７には、閉鎖された状態において、回動軸４７ａ（図７（Ａ））よりも上方には、主開閉扉４３に向けて突出した突出部４７ｃが備えられており、主開閉扉４３には、閉鎖するときに、開放状態の補助扉４７の突出部４７ｃを当接して押し上げるための当接部４３ｆが備えられている。当接部４３ｆは補助扉４７が開放されたときに、突出部４７ｃが嵌り込む大きさおよび箇所に設けられている。
この実施形態では、突出部４７ｃは、補助扉４７の左側面の中央よりやや上方から左方向に向けて、角柱状に突出して設けられている。当接部４３ｆは、主開閉扉４３の右側面および受止め面４３ｅ側に突出部４７ｃの外周面の形状に合致するように開口している凹部に形成されている。図示しないが、補助扉４７にも補助扉４６の突起部４６ｂと同じ形状の突起部が設けられている。また、図示しないが、補助扉４７にも、補助扉４６を開放するための機構である回動部材６５、位置規制部材６４および特定領域４１ｄとが、補助扉４６の場合と左右対称に設けられている。
最良の形態と同様に、図７（Ｂ）に示すように、主開閉扉４３が開放し、補助扉４６、４７が閉鎖しているときに、受止め面４３ｅにより受け止められた遊技球が大入賞口４１に案内され、補助扉４６の近くに設けられた特定領域４１ｄ（図８）を通過すると、作用部６５ａが遊技球Ｐに押し動かされ、回動部材６５の回動により、補助扉４６は開放される。一方、補助扉４７は、遊技球が補助扉４７の近くに設けられた特定領域を通過したときに開放する。つまり、補助扉４６と補助扉４７とは独立に開放される。
主開閉扉４３が閉鎖する方向へ回動すると、主開閉扉４３に備えられた当接部４３ｆが補助扉４７に備えられた突出部４７ｃを押し上げることにより、補助扉４７を主開閉扉４３の回動に連動して回動させて、閉鎖することができるため、補助扉４７を閉鎖するためのソレノイドが不要である。また、補助扉４６にも、閉鎖された状態において、回動軸４６ａ（図７（Ａ））よりも上方には、主開閉扉４３に向けて突出した突出部４７ｃが備えられており、主開閉扉４３には、閉鎖するときに、開放状態の補助扉４６の突出部４７ｃを当接して押し上げるための当接部４７ｆが備えられているので、補助扉４７と同様に、補助扉４６を閉鎖することができる。従って、ソレノイドの数を減少させることができるパチンコ機を実現できる。
この実施形態では、補助扉４６と補助扉４７とは独立に開放されるため、補助扉の開閉動作のバリエーションが増大するので、より一層遊技の興趣を増大させることができる。この構成を使用した場合でも、前述した最良の形態の（１）〜（３）および（５）の効果を奏することができる。
【００４７】
（２）図９（Ｂ）は、主開閉扉４３に設けられた突出部の部分説明図である。主開閉扉４３が閉鎖された状態において、回動軸４３ａ（図５（Ａ））よりも上方に、補助扉４７に向けて突出した突出部４３ｇが備えられている。
この実施形態では、突出部４７ｃは角板状に形成されており、その先端が主開閉扉４３の右側面よりも右方向に向かって突出するように、主開閉扉４３の前部に取り付けてある。図示しないが、補助扉４７にも補助扉４６の突起部４６ｂと同じ形状の突起部が設けられている。また、図示しないが、補助扉４７にも、補助扉４６を開放するための機構である回動部材６５、位置規制部材６４および特定領域４１ｄとが、補助扉４６の場合と左右対称に設けられている。
最良の形態と同様に、図７（Ｂ）に示すように、主開閉扉４３が開放し、補助扉４６、４７が閉鎖しているときに、受止め面４３ｅにより受け止められた遊技球が大入賞口４１に案内され、補助扉４６の近くに設けられた特定領域４１ｄ（図８）を通過すると、作用部６５ａが遊技球Ｐに押し動かされ、回動部材６５の回動により、補助扉４６は開放される。一方、補助扉４７は、遊技球が補助扉４７の近くに設けられた特定領域を通過したときに開放する。つまり、補助扉４６と補助扉４７とは独立に開放される。
主開閉扉４３が閉鎖する方向へ回動すると、主開閉扉４３に備えられた突出部４３ｇが補助扉４７の前部を押し上げることにより、補助扉４７は主開閉扉４３の回動に連動して回動され、閉鎖されるため、補助扉４７を閉鎖するためのソレノイドなどの機械要素が不要である。また、補助扉４６にも、主開閉扉４３が閉鎖された状態において、回動軸４３ａ（図５（Ａ））よりも上方に、補助扉４６に向けて突出した突出部４３ｇが備えられているので、補助扉４７と同様に、補助扉４６を閉鎖することができる。
従って、ソレノイドの数を減少させることができるパチンコ機を実現することができる。
この実施形態では、補助扉４６と補助扉４７とは独立に開放されるため、補助扉の開閉動作のバリエーションが増大するので、より一層遊技の興趣を増大させることができる。この構成を使用した場合でも、前述した最良の形態の（１）〜（３）および（５）の効果を奏することができる。
【００４８】
（３）主開閉扉４３および補助扉４６、４７が開放しているときに、受止め面４６ｃ、４７ｂを受止め面４３ｅより上方に設けてもよい。この構成によれば、この場合、遊技球が受止め面４３ｅと受止め面４３ｅ、４６ｃとの段差から遊技盤５側に転落しない程度に、各補助扉４６、４７を配置するのが望ましい。主開閉扉４３および補助扉４６、４７の配置に対する制約が少なくなるため、変動入賞装置４０について種々のデザインを採用することができる。この構成を使用した場合でも、前述した最良の形態の（１）〜（４）の効果を奏することができる。
ここで、補助扉４６と補助扉４７とは独立に開放されるようにしてもよい。この場合、補助扉の開閉動作のバリエーションが増大するので、より一層遊技の興趣を増大させることができる。この構成を使用した場合でも、前述した最良の形態の（１）〜（３）の効果を奏することができる。
【００４９】
（４）２箇所の特定領域４１ｄを設け、遊技球が一方の特定領域を通過したときには補助扉４６を開放し、遊技球が他方の特定領域を通過したときには補助扉４７を開放するようにしてもよい。図示しないが、補助扉４７にも補助扉４６の突起部４６ｂと同じ形状の突起部が設けられている。また、図示しないが、補助扉４７にも、補助扉４６を開放するための機構である回動部材６５、位置規制部材６４および特定領域４１ｄとが、補助扉４６の場合と左右対称に設けられている。
この実施形態では、補助扉４６と補助扉４７とは独立に開放されるため、補助扉の開閉動作のバリエーションが増大するので、より一層遊技の興趣を増大させることができる。この構成を使用した場合でも、前述した最良の形態の（１）〜（３）および（５）の効果を奏することができる。
なお、上記各実施形態では補助扉を２つ設けたが、１つだけでもよいし、３つ以上設けてもよい。
【００５０】
［各請求項と実施形態との対応関係］
（請求項１）
主開閉扉４３が開閉扉に、変動入賞装置４０が入賞装置に、回動部材６５が開放手段にそれぞれ対応する。
（請求項２）
回動軸４６ａ、４７ａが補助扉用の回動軸に、回動軸６５ｂが開放手段用の回動軸にそれぞれ対応する。
（請求項３）
位置規制部材６４が規制部材に対応する。
【図面の簡単な説明】
【００５１】
【図１】パチンコ機１の外観の斜視説明図である。
【図２】遊技盤５の主要構成を示す正面説明図である。
【図３】図３（Ａ）は変動入賞装置４０の斜視説明図である。図３（Ｂ）は主開閉扉４３が開放した変動入賞装置４０の斜視説明図である。図３（Ｃ）は主開閉扉４３および補助扉４６、４７が開放した変動入賞装置４０の斜視説明図である。
【図４】図４（Ａ）は、開放している主開閉扉４３とソレノイドの接続関係を示す斜視説明図である。図４（Ｂ）は、開放している主開閉扉４３の右端部近傍の縦断面を右方から見た説明図である。
【図５】図５（Ａ）は、閉鎖している主開閉扉４３とソレノイドの接続関係を示す斜視説明図である。図５（Ｂ）は、閉鎖している主開閉扉４３の右端部近傍の縦断面を右方から見た説明図である。
【図６】図６（Ａ）は、閉鎖している状態の補助扉４６、４７の斜視説明図である。図６（Ｂ）は、閉鎖している状態の補助扉４６近傍の縦断面を右方から見た説明図である。
【図７】図７（Ａ）は、開放する途中の補助扉４６、４７の斜視説明図である。図７（Ｂ）は、開放する途中の補助扉４６近傍の縦断面を右方から見た説明図である。図７（Ｃ）は、開放した補助扉４６近傍の縦断面を右方から見た説明図である。
【図８】図８は、主開閉扉４３および補助扉４６、４７が開放した変動入賞装置４０の一部横断面を上方から見た説明図である。
【図９】図９（Ａ）は、補助扉４７に設けられた突出部および主開閉扉４３に設けられた当接部の部分説明図である。図９（Ｂ）は、主開閉扉４３に設けられた突出部の部分説明図である。
【符号の説明】
【００５２】
１    パチンコ機
５    遊技盤
４０    変動入賞装置（入賞装置）
４１    大入賞口
４３    主開閉扉（開閉扉）
４３ａ  回動軸（開閉扉用の回動軸）
４３ｂ  当接部
４３ｆ  当接部
４３ｇ  突出部
４３ｅ、４６ｃ、４７ｂ    受止め面
４６、４７  補助扉
４６ａ、４７ａ  回動軸（補助扉用の回動軸）
４７ｃ  突出部
４９    大入賞口ソレノイド
６３    連結部材
６４    位置規制部材（規制部材）
６５    回動部材（開放手段）
６５ａ  作用部
６５ｂ  回動軸（開放手段用の回動軸）
６５ｃ  回動部
Ｐ    遊技球
【図１】
2006034501.tif 000003
【図２】
2006034501.tif 000004
【図３】
2006034501.tif 000005
【図４】
2006034501.tif 000006
【図５】
2006034501.tif 000007
【図６】
2006034501.tif 000008
【図７】
2006034501.tif 000009
【図８】
2006034501.tif 000010
【図９】
2006034501.tif 000011